(57)【要約】【課題】金型表面などの硬質表面の表面に付着した油脂成分を、その表面を損傷させることなく、効率良く洗浄除去することを可能にする洗浄方法を提供すること。【解決手段】水系媒体中に界面活性剤、アルカリ金属炭酸塩、及び水溶性ポリマーが溶解されてなる発泡性水溶液を洗浄対象の硬質表面と接触させ、次いで有機カルボン酸を含む発泡トリガー成分を添加することを特徴とする硬質表面の洗浄方法。【選択図】        なし【特許請求の範囲】
【請求項１】
水系媒体中に界面活性剤、アルカリ金属炭酸塩、及び水溶性ポリマーが溶解されてなる発泡性水溶液および有機カルボン酸を含む発泡トリガー成分からなる二成分系の硬質表面洗浄用組成物。
【請求項２】
アルカリ金属炭酸塩が炭酸ナトリウムである請求項１に記載の硬質表面洗浄用組成物。
【請求項３】
アルカリ金属炭酸塩が炭酸ナトリウムと炭酸ナトリウムの水和物との熱反応生成物である請求項１に記載の硬質表面洗浄用組成物。
【請求項４】
水溶性ポリマーが、ポリアクリル酸ナトリウム、ポリアクリルアミド、ポリビニルアルコール、ポリビニルピロリドンおよびセルロース誘導体からなる群より選ばれる一以上の化合物である請求項１乃至３のうちのいずれかの項に記載の硬質表面洗浄用組成物。
【請求項５】
水溶性ポリマーが発泡性水溶液中に、０．１〜５質量％の範囲の量にて含まれている請求項１乃至４のうちのいずれかの項に記載の硬質表面洗浄用組成物。
【請求項６】
発泡トリガー成分が、ポリカルボン酸を含む請求項１乃至５のうちのいずれかの項に記載の硬質表面洗浄用組成物。
【請求項７】
発泡性水溶液中にさらに、有機カルボン酸もしくはその塩が含まれている請求項１乃至６のうちのいずれかの項に記載の硬質表面洗浄用組成物。
【請求項８】
水系媒体中に界面活性剤、アルカリ金属炭酸塩、及び水溶性ポリマーが溶解されてなる発泡性水溶液を洗浄対象の硬質表面と接触させ、次いで有機カルボン酸を含む発泡トリガー成分を該発泡性水溶液に添加することを特徴とする硬質表面の洗浄方法。
【請求項９】
界面活性剤、アルカリ金属炭酸塩、及び水溶性ポリマーを含む発泡性固形成分および有機カルボン酸を含む発泡トリガー成分からなる二成分系の硬質表面洗浄用組成物。
【請求項１０】
アルカリ金属炭酸塩が炭酸ナトリウムである請求項９に記載の硬質表面洗浄用組成物。
【請求項１１】
アルカリ金属炭酸塩が炭酸ナトリウムと炭酸ナトリウムの水和物との熱反応生成物である請求項９に記載の硬質表面洗浄用組成物。
【請求項１２】
水溶性ポリマーが、ポリアクリル酸ナトリウム、ポリアクリルアミド、ポリビニルアルコール、ポリビニルピロリドンおよびセルロース誘導体からなる群より選ばれる一以上の化合物である請求項９乃至１１のうちのいずれかの項に記載の硬質表面洗浄用組成物。
【請求項１３】
発泡トリガー成分がポリカルボン酸を含む請求項９乃至１２のうちのいずれかの項に記載の硬質表面洗浄用組成物。
【請求項１４】
発泡性水溶液中にさらに、有機カルボン酸もしくはその塩が含まれている請求項９乃至１３のうちのいずれかの項に記載の硬質表面洗浄用組成物。
【発明の詳細な説明】
【０００１】
【発明の属する技術分野】
本発明は、金属表面、ガラス質表面、あるいは樹脂表面などの硬質表面の洗浄に適した洗浄用組成物と洗浄方法に関する。本発明は特に、樹脂成形物などの成形物の製造に用いられる金型の表面を洗浄する用途に適した洗浄用組成物と洗浄方法に関する。
【０００２】
【従来の技術】
従来より、衣料用洗浄剤、食品用洗浄剤、食器用洗浄剤、住居家具用洗浄剤など各種の家庭用洗浄剤が使用されている。これらの洗浄剤は基本的には、陰イオン界面活性剤、非イオン界面活性剤、陽イオン界面活性剤などを中心とする界面活性剤とリン酸塩やケイ酸塩などのビルダーと呼ばれる補助成分を主成分とする組成物である。そして、必要により有機溶媒、アルカリ物質、香料、皮膚保護成分、蛍光染料などが添加される。また、食器用洗浄剤としては、粉末状硬質成分などの研磨成分を含むクレンザーなども使用されている。
【０００３】
洗浄剤は、家庭用のみならず、工業用も各種開発されているが、工業用洗浄剤の多くは、洗浄対象の材料と、その表面状態を考慮して、各種の成分が選択されて配合される。ただし、工業分野で洗浄対象となる製品や装置には多様のものがあるため、それらの全ての製品や装置に最適な洗浄剤が開発されているとはいえない。
【０００４】
特に、各種の樹脂成形体あるいは金属成形体などの成形体を製造する際に使用する金型の洗浄剤としては、これまでに有効性の高い洗浄剤が市場に供給されていない。すなわち、金型の多くは、その使用中に油脂成分と接触することが多いため、一回の使用毎に金型を洗浄する必要があるが、これまでは家庭用の食器用洗浄剤が用いられることが多かった。しかしながら、界面活性剤と皮膚保護成分とを主成分とする市販の食器用洗浄剤では、その洗浄力が不足で、油脂成分の一部が金型表面に残留しやすいという問題があった。一方、クレンザーなどの研磨成分を含む食器用洗浄剤を用いれば固着した油脂成分の除去は容易であるが、この場合には金型表面に細かな傷が形成されるため、精密製品を製造するために用いられる金型の洗浄には適当でない。このため、近年では、フロン系洗剤が金型洗浄用として一般的に用いられている。しかしながら、フロン系化合物はオゾン層破壊などの環境破壊の原因となることが指摘されており、その使用が困難になっている。
【０００５】
【発明が解決しようとする課題】
本発明は、金型表面に代表される金属材料表面、ガラス質材料表面、あるいは樹脂材料表面などの硬質材料表面に付着した油脂成分を、硬質材料表面を損傷させることなく、効率良く洗浄することを可能にする洗浄用組成物と洗浄方法を提供することを課題とする。
【０００６】
【課題を解決するための手段】
本発明は、水系媒体中に界面活性剤、アルカリ金属炭酸塩、及び水溶性ポリマーが溶解されてなる発泡性水溶液および有機カルボン酸を含む発泡トリガー成分からなる二成分系の硬質表面洗浄用組成物にある。
【０００７】
本発明はまた、水系媒体中に界面活性剤、アルカリ金属炭酸塩、及び水溶性ポリマーが溶解されてなる発泡性水溶液を洗浄対象の硬質表面と接触させ、次いで有機カルボン酸を含む発泡トリガー成分を該発泡性水溶液に添加することを特徴とする硬質表面の洗浄方法にもある。
【０００８】
本発明はさらに、界面活性剤、アルカリ金属炭酸塩、及び水溶性ポリマーを含む発泡性固形成分および有機カルボン酸を含む発泡トリガー成分からなる二成分系の硬質表面洗浄用組成物にもある。
【０００９】
【発明の実施の形態】
本発明の二成分系硬質表面洗浄用組成物の好ましい態様を以下に記載する。
（１）アルカリ金属炭酸塩が炭酸ナトリウムである。
（２）アルカリ金属炭酸塩が炭酸ナトリウムと炭酸ナトリウムの水和物との熱反応生成物である。
（３）水溶性ポリマーが、ポリアクリル酸ナトリウム、ポリアクリルアミド、ポリビニルアルコール、ポリビニルピロリドンおよびセルロース誘導体からなる群より選ばれる一以上の化合物である。
（４）水溶性ポリマーが発泡性水溶液中に、０．１〜５質量％の範囲の量にて含まれている。
（５）発泡トリガー成分が、リンゴ酸あるいはクエン酸などのポリカルボン酸を含む。
（６）発泡性水溶液中にさらに、有機カルボン酸もしくは有機カルボン酸の塩が含まれている。
（７）硬質表面が、金属製品表面、特に金型表面、ガラス製品（ケイ酸質ガラス製品）表面、樹脂成形物表面である。
【００１０】
本発明の二成分系硬質表面洗浄用組成物の一方の成分である、水系媒体中に界面活性剤、アルカリ金属炭酸塩、及び水溶性ポリマーが溶解されてなる発泡性水溶液は例えば、下記の方法を利用して製造する。
【００１１】
（１）界面活性剤（例、陰イオン界面活性剤あるいは非イオン界面活性剤の単独もしくは混合物、さらに陽イオン界面活性剤を加えてもよい）及び水溶性ポリマー（例、ポリアクリルアミド、ポリビニルアルコール、ポリビニルピロリドン、あるいはＣＭＣなどのセルロース誘導体）を水（精製水が好ましい）に添加し、溶解させる。必要に応じて、さらに有機カルボン酸（例、ポリカルボン酸）もしくはその塩、メチルパラベンなどの防腐剤、尿素などの皮膚保護剤を代表例とする各種の補助添加剤を添加してもよい。
【００１２】
（２）次に、上記（１）で得られた水溶液にアルカリ金属炭酸塩（例、炭酸ナトリウム、炭酸カリウム、重炭酸ナトリウムなど）を添加する。この添加の際に、上記水溶液に、水溶液の体積に対して、１〜１０倍の量の炭酸ナトリウム混合物（例、炭酸ナトリウムと炭酸ナトリウム１０水和物との２：１（質量比）の混合物）を加えて、激しく攪拌する方法を利用するのが、洗浄効率の高い洗浄用組成物を得るために有効である。この攪拌により、発熱が発生する。
【００１３】
（３）固形の洗浄用組成物を製造する場合には、上記（２）の方法で得られた水性混合物を噴霧乾燥、パン乾燥などの方法により乾燥させて、粉末状あるいは顆粒状の洗浄用組成物を得る。あるいは、ペレット状の洗浄用組成物として成形してもよい。
【００１４】
本発明の洗浄用組成物は、基本的には、水系媒体中に界面活性剤、アルカリ金属炭酸塩、及び水溶性ポリマーが溶解されてなる発泡性水溶液を用意し、これに洗浄対象の油膜あるいは油分が付着している硬質表面と接触させ、次いで有機カルボン酸を含む発泡トリガー成分を該発泡性水溶液に添加し、必要により、攪拌を行うなどの方法を利用して、硬質表面の油膜や油分を洗浄除去する操作で使用される。
【００１５】
【実施例】
［実施例１］  発泡性水溶液の調製
１）ビーカーに精製水２０ｍＬを入れ、これにポリアクリル酸ナトリウム（以下、Ｐｏと略す）０．３４ｇを攪拌下に加え、溶解させてＰｏ水溶液を得る。次に、Ｐｏ水溶液を６０〜７０℃に加温し、これにメチルパラベン０．１０ｇとクエン酸０．０４ｇを順次溶解させる。得られた溶液を室温に戻し、これにカルボキシメチルセルロース（ＣＭＣ）０．３４ｇを攪拌下に添加して、溶解させる。最後に、界面活性剤組成物（陰イオン界面活性剤と非イオン界面活性剤との混合物）２．００ｇを攪拌下に加えて、ポリアクリル酸ナトリウム含有界面活性剤水溶液を得る。
２）上記の１）で得られたポリアクリル酸ナトリウム含有界面活性剤水溶液１容量部に対して、炭酸ナトリウム（炭酸ナトリウムと炭酸ナトリウム１０水和物との２：１質量比の混合物）５容量部を加え、激しく攪拌すると熱反応が発生する。これを室温に戻すことにより発泡性水溶液を得る。
【００１６】
［実施例２］  発泡性粉末の調製
実施例１で得られた発泡性水溶液をアルミニウムフォイルの表面に流延し、これを室温下で２４時間乾燥させて、固形物を得る。この固形物をメッシュ１６番（１．００ｍｍ）のステンレス製篩に通して、発泡性粉末を得る。
【００１７】
［実施例３］  洗浄性試験
直径５ｃｍのアルミニウム製円盤状プレーとに０．２ｍＬのシリコーンオイルを均一に塗布し、試験片とした。実施例１で得られた発泡性水溶液を５容量倍に希釈した水溶液５０ｍＬをアルミニウム製ボール（半球状容器）に入れ、この希釈発泡製水溶液中に試験片を入れた。アルミニウム製ボールを数回揺すって、試験片を希釈発泡性水溶液となじませた後、発泡トリガー成分（リンゴ酸あるいはクエン酸）を３ｇずつ５回で、合計１５ｇ、あるいは６ｇずつ５回で合計３０ｇ添加した。水溶液に発泡が見られた。発泡がほぼ完了した後、発泡済み水溶液から試験片を取りだし、流水（水道水）で洗浄した。洗浄後に室温で乾燥させ、試験片の表面を目視で観察した。各試験片の観察結果を表１に記載する。
【００１８】
【表１】
2004155923.tif 000002
【００１９】
【発明の効果】
本発明の二成分系の硬質表面洗浄用組成物を用いることにより、油膜が形成されたり、油分が付着した金型表面などの硬質材料表面が、傷などの損傷を伴うことなく簡単に洗浄でき、ほぼ１００％の油分の除去が可能となる。